(57)【要約】【課題】ＩＥＥＥ８０２．１１ｅ ＥＤＣＡに基づく無線ＬＡＮ方式に則った上で、無線区間の上り方向に関して細かな単位での優先制御を行うことができるアクセスポイント及びネットワークシステムを提供する。【解決手段】ＳＳＩＤ毎にＥＤＣＡパラメータのトラヒック優先順位であるアクセスカテゴリ毎に指定されるＣＷmin値及びＣＷmax値を異なるように設定して、端末１１及び１２によって使用するＳＳＩＤを異なるように設定する。これにより、１つのＳＳＩＤに設定できる４段階の優先度より細かな単位での優先制御が可能となり、ＱｏＳの向上が図れる。【選択図】図３
2006211362.tif 000002
【特許請求の範囲】
【請求項１】
収容するネットワークデバイスに使用するＳＳＩＤ（Service Set Identifier）を持つと共に、前記ネットワークデバイスを特定するためのＢＳＳＩＤ（Basic Service Set Identifier）を持つアクセスポイントであって、
前記ＳＳＩＤに対応するＥＤＣＡ（Enhanced Distributed Channel Access）パラメータを、内容の異なるものを複数個記憶したＥＤＣＡパラメータ記憶手段と、
複数のネットワークデバイスを収容するときに、ＳＳＩＤ毎に前記ＥＤＣＡパラメータ記憶手段に記憶されたＥＤＣＡパラメータを設定するＥＤＣＡパラメータ設定手段と、
を備えるアクセスポイント。
【請求項２】
ＥＤＣＡパラメータには、アクセスカテゴリ毎に指定されるＣＷmin及びＣＷmaxがあり、
前記ＥＤＣＡパラメータ設定手段は、前記ＣＷminあるいはＣＷmaxの値を前記ＳＳＩＤ毎に違えたＥＤＣＡパラメータを記憶する請求項１に記載のアクセスポイント。
【請求項３】
請求項１又は請求項２に記載のアクセスポイントと、
前記アクセスポイントと無線通信を行う少なくとも１つのネットワークデバイスと、
を備えるネットワークシステム。
【発明の詳細な説明】
【技術分野】
【０００１】
本発明は、アクセスポイント及びネットワークシステムに関する。
【背景技術】
【０００２】
近年、ＩＥＥＥ８０２．１１規格に基づく無線ＬＡＮの普及が進み、公衆ネットワークや企業ネットワークにおいて大規模な無線ＬＡＮネットワークが構築されるようになった。最近では、それに従って少ない無線周波数をうまく利用して、仮想的なアクセスポイントを多重するという方法が検討されている（例えば、非特許文献１参照）。ここでは、例えば図５に示すように、１つのアクセントポイント２００上に２つのＢＳＳＩＤを割り当てるようにして、ネットワークデバイスである端末２０１と端末２０２の夫々からあたかも複数の仮想的なアクセスポイントが見えるようにする。このようにすることにより、同一無線チャネルを使用しながら複数のネットワークを多重して使用することが可能となる。
【０００３】
現在、ＩＥＥＥ８０２．１１ではＭＡＣ（Media Access Control）レイヤを拡張し、ＱｏＳ（Quality of Service）サポートを行うための標準化がＩＥＥＥ８０２．１１ ＴＧｅ（Task Group e）で進められている。当該グループからは、アクセス制御の方式として自律分散制御をベースとしたＥＤＣＡ（Enhanced Distributed Channel Access）が提案されている（例えば、非特許文献２参照）。
【０００４】
ＥＤＣＡは、チャネルがビジーからアイドル状態に変化する際、トラヒックの優先順位別（すなわちアクセスカテゴリ別）に一定期間キャリアセンスする時間（ＡＩＦＳ）を割り当てる。そして、ＡＩＦＳ間アイドルであれば、衝突を回避するために０以上ＣＷ（Contension Window）以下の範囲内で乱数を発生させ、その乱数値をもとにしたランダム（Backoff）時間アイドルであれば送信を行う。ＣＷは再送回数に応じてＣＷmin以上、ＣＷmax以下の値をとる。優先度の高いトラヒックであればＡＩＦＳ＋バックオフ（Backoff）時間による送信待ち時間は短くなり優先的に送信を行うことができる。
【０００５】
ここで、図７の（ａ）はアクセスポイントの送信処理を示す模式図である。なお、端末でも同様の処理が行われる。図７の（ｂ）は送信処理後の出力波形を示す図であり、図７の（ｃ）はＥＤＣＡパラメータの一例を示す図である。（ｃ）に示すＥＤＣＡパラメータは、“Ａｃｃｅｓｓ Ｃａｔｅｇｏｒｙ"、“ＣＷmin”、“ＣＷmax”、“ＡＩＦＳＮ”、“ＴＸＯＰ Ｌｉｍｉｔ”からなるものである。４つのアクセスカテゴリ（ＡＣ）は、“ＡＣ＿ＶＯ”、“ＡＣ＿ＶＩ”、“ＡＣ＿ＢＥ”、“ＡＣ＿ＢＫ”である。“ＡＣ＿ＶＯ”は主に音声データ用に用いられ、“ＡＣ＿ＶＩ”は主にビデオ映像データ用に用いられ、“ＡＣ＿ＢＥ”は主に音声データやビデオデータ以外のデータに用いられ、“ＡＣ＿ＢＫ”は主に大きい遅延が発声してもよいデータに用いられる。
【０００６】
（ｃ）の例では、ＡＩＦＳＮは、“ＡＣ＿ＶＯ”及び“ＡＣ＿ＶＩ”には「２」、“ＡＣ＿ＢＥ”には「３」、“ＡＣ＿ＢＫ”には「７」がそれぞれ設定されている。ＣＷの決定に使用されるＣＷmin及びＣＷmaxは、“ＡＣ＿ＶＯ”には「３」、「７」、“ＡＣ＿ＶＩ”には「７」、「１５」、“ＡＣ＿ＢＥ”及び“ＡＣ＿ＢＫ”には「１５」、「１０２３」がそれぞれ設定されている。ＴＸＯＰ Ｌｉｍｉｔ（連続出力可能時間）は、“ＡＣ＿ＶＯ”には「３．２６４ｍｓ」、“ＡＣ＿ＶＩ”には「６．０１６ｍｓ」、“ＡＣ＿ＢＥ”及び“ＡＣ＿ＢＫ”には「０」がそれぞれ設定されている。
【０００７】
アクセスポイントには端末が使用するＥＤＣＡパラメータが記憶されており、端末は図６に示すように、アクセスポイントから送信されるビーコン又はプローブ応答でＥＤＣＡパラメータを知り、アクセスポイントとアソシエート（接続）するときにアソシエーション応答でＥＤＣＡパラメータの設定を行う。
【０００８】
なお、Ｗｉ−Ｆｉ ａｌｌｉａｎｃｅにおいては、ＩＥＥＥ８０２．１１ｅのサブセットという位置づけでＷｉｒｅｌｅｓｓ Ｍｕｌｔｉｍｅｄｉａ Ｅｎｈａｎｃｅｍｅｎｔ（ＷＭＥ、非特許文献３参照）を策定しており、このＷＭＥを実装した装置においても上述した原理で優先制御が行われる。
【０００９】
【非特許文献１】IEEE Document IEEE802.11-03/154r1"Virtual Access Points"
【非特許文献２】IEEE P802.11e/D11.0, October 2004 "IEEE Standard for information technology Telecommunications and information exchange between systems Local and metropolitan area networks Specific requirements"
【非特許文献３】11-03-0504-07-000ｅ-WMEredlined09Mar.doc
【発明の開示】
【発明が解決しようとする課題】
【００１０】
しかしながら、従来のＩＥＥＥ８０２．１１ｅ ＥＤＣＡに基づく無線ＬＡＮ方式においては、無線区間の上り方向に関して優先制御を行う場合、規格上４段階の優先権を持つことができるが、より細かな単位（５段階以上）での優先制御を行いたい場合に適用できないという問題がある。
【００１１】
本発明は、係る事情に鑑みてなされたものであり、ＩＥＥＥ８０２．１１ｅ ＥＤＣＡに基づく無線ＬＡＮ方式に則った上で、無線区間の上り方向に関して細かな単位での優先制御を行うことができるアクセスポイント及びネットワークシステムを提供することを目的とする。
【課題を解決するための手段】
【００１２】
上記目的は下記構成により達成される。
（１）  収容するネットワークデバイスに使用するＳＳＩＤ（Service Set Identifier）を持つと共に、前記ＳＳＩＤに対応して使用されるＢＳＳＩＤ（Basic Service Set Identifier）を持つアクセスポイントであって、前記ＳＳＩＤに対応するＥＤＣＡ（Enhanced Distributed Channel Access）パラメータを、内容の異なるものを複数個記憶したＥＤＣＡパラメータ記憶手段と、複数のネットワークデバイスを収容するときに、ＳＳＩＤ毎に前記ＥＤＣＡパラメータ記憶手段に記憶されたＥＤＣＡパラメータを設定するＥＤＣＡパラメータ設定手段と、を備える。
【００１３】
（２）  上記（１）に記載のアクセスポイントにおいて、ＥＤＣＡパラメータには、ＣＷ（Contension Window）を決定する際に使用されるＣＷminとＣＷmaxがあり、前記ＥＤＣＡパラメータ設定手段は、前記ＣＷminあるいはＣＷmaxの値を前記ＳＳＩＤ毎に違えたＥＤＣＡパラメータを記憶する。
【００１４】
（３）  上記（１）又は（２）に記載のアクセスポイントと、前記アクセスポイントと無線通信を行う少なくとも１つのネットワークデバイスと、を備える。
【発明の効果】
【００１５】
上記（１）に記載のアクセスポイントでは、ＳＳＩＤ毎にＥＤＣＡパラメータを異なるように設定して、ネットワークデバイスによって、使用するＳＳＩＤが異なるようにしたので、１つのＳＳＩＤに設定できる４段階の優先度制御よりもさらに細かな単位での優先制御が可能となり、ＱｏＳの向上が図れる。
【００１６】
上記（２）に記載のアクセスポイントでは、ＣＷ値を違えたＥＤＣＡパラメータを持つので、１つのＳＳＩＤに設定できる４段階の優先度よりも細かな単位での優先制御が可能となる。
【００１７】
上記（３）に記載のネットワークシステムでは、上記（１）又は（２）に記載のアクセスポイントを備えているので、各ネットワークデバイスに対して、きめの細かな優先制御が可能であり、ＱｏＳの高いネットワークシステムを構築することができる。
【発明を実施するための最良の形態】
【００１８】
以下、本発明を実施するための好適な実施の形態について、図面を参照して詳細に説明する。
【００１９】
図１は、本発明の一実施の形態に係るネットワークシステムの概略構成を示すブロック図である。この図において、本実施の形態に係るネットワークシステムは、通信ネットワーク５００に接続されるアクセスポイント１０と、このアクセスポイント１０とＩＥＥＥ８０２．１１の無線ＬＡＮ規格に従って無線通信を行うネットワークデバイスである端末１１及び１２とを備えている。この場合、端末１１と端末１２には、異なるＳＳＩＤが使用され、端末１１にはＳＳＩＤ Ａが使用され、端末１２にはＳＳＩＤ Ｂが使用されるものとする。なお、本実施の形態は、同一ネットワークに２台の端末が収容された場合について説明するが、同一ネットワーク内に収容される端末は２台に限定されるものではなく任意である。
【００２０】
図２は、アクセスポイント１０の概略構成を示すブロック図である。この図に示すように、アクセスポイント１０は、複数のＳＳＩＤ（Service Set Identifier）とそれぞれに対応する複数の無線ＬＡＮ通信用のＭＡＣアドレスであるＢＳＳＩＤ（Basic Service Set Identifier）を持つものであり、データ送受信制御部１０１と、２つのＥＤＣＡパラメータ記憶部１０２及び１０３と、管理フレーム送受信部１０４とを備えている。アクセスポイント１０は、収容する２つの端末１１及び１２に対してＳＳＩＤを設定する。本実施の形態では、ＳＳＩＤに対応するＥＤＣＡパラメータに違いを設けているので、優先度の違いに応じて端末１１と端末１２に使用するＳＳＩＤを変えている。ここで、例えば端末１１にＳＳＩＤ Ａを設定し、端末１２にＳＳＩＤ Ｂを設定するものとする。なお、優先度の違いに応じて端末１１と端末１２に使用するＳＳＩＤを変える点の詳細については後述する。
【００２１】
端末１１はアクセスポイントとの無線ＬＡＮ通信に際してＳＳＩＤ Ａに対応するＢＳＳＩＤを用い、端末１２はアクセスポイントとの無線ＬＡＮ通信に際してＳＳＩＤ Ｂに対応するＢＳＳＩＤを用いることになる。
【００２２】
データ送受信制御部１０１は、通信ネットワーク５００から受信したフレームを無線によって端末１１又は端末１２へ送信し、無線によって端末１１又は端末１２から送信されたフレームを受信して通信ネットワーク５００へ送信する。ＥＤＣＡパラメータ記憶部１０２及び１０３は、端末１１及び１２で使用するＥＤＣＡパラメータを記憶する。管理フレーム送受信部１０４は、ビーコンフレーム、プローブ応答フレーム、アソシエーション応答フレームを含む管理フレームの送受信を行う。この場合、送信するビーコンフレーム、プローブ応答フレーム、アソシエーション応答フレームにはＥＤＣＡパラメータ記憶部１０２及び１０３に記憶されている端末１１及び１２のＥＤＣＡパラメータが含まれる。
【００２３】
図３は、ＥＤＣＤパラメータの一例を示す図であり、（ａ）はＥＤＣＤパラメータ記憶部１０２に記憶されたＥＤＣＤパラメータであり、（ｂ）はＥＤＣＡパラメータ記憶部１０３に記憶されたＥＤＣＤパラメータである。いずれも従来と同様に、ＥＤＣＡパラメータは、“Ａｃｃｅｓｓ Ｃａｔｅｇｏｒｙ"、“ＣＷmin”、“ＣＷmax”、“ＡＩＦＳＮ”及び“ＴＸＯＰ Ｌｉｍｉｔ”からなる。この例では、ＡＩＦＳＮとＴＸＯＰ Ｌｉｍｉｔ（連続出力可能時間）は、ＥＤＣＡパラメータ記憶部１０２とＥＤＣＡパラメータ記憶部１０３とで同じ値が設定されている。すなわち、ＡＩＦＳＮは、“ＡＣ＿ＶＯ”及び“ＡＣ＿ＶＩ”には「２」、“ＡＣ＿ＢＥ”には「３」、“ＡＣ＿ＢＫ”には「７」がそれぞれ設定されており、ＴＸＯＰ Ｌｉｍｉｔは、“ＡＣ＿ＶＯ”には「１．５０４ｍｓ」、“ＡＣ＿ＶＩ”には「３．００８ｍｓ」、“ＡＣ＿ＢＥ”及び“ＡＣ＿ＢＫ”には「０」がそれぞれ設定されている。
【００２４】
一方、発生する乱数は、ＥＤＣＡパラメータ記憶部１０２とＥＤＣＡパラメータ記憶部１０３とで異なる値が設定されている。すなわち、ＥＤＣＡパラメータ記憶部１０２では、ＣＷmin及びＣＷmaxは、“ＡＣ＿ＶＯ”には「７」、「１５」、“ＡＣ＿ＶＩ”には「１５」、「３１」、“ＡＣ＿ＢＥ”及び“ＡＣ＿ＢＫ”には「３１」、「１０２３」がそれぞれ設定されている。ＥＤＣＡパラメータ記憶部１０３では、ＣＷmin及びＣＷmaxは、“ＡＣ＿ＶＯ”には「３」、「７」、“ＡＣ＿ＶＩ”には「７」、「１５」、“ＡＣ＿ＢＥ”及び“ＡＣ＿ＢＫ”には「１５」、「１０２３」がそれぞれ設定されている。従来は、ＥＤＣＡパラメータは、ネットワーク内に収容される全ての端末に共通のものであったが、本実施の形態では、端末１１と端末１２との間でＣＷの値を違えてバックオフ時間に違いを持たせており、ＳＳＩＤ Ｂの端末１２のＣＷminをＳＳＩＤ Ａの端末１１のものよりも小さく設定しているので、端末１１と比較するとバックオフ時間が短くなる確率が高くなり、結果としてＳＳＩＤ Ｂの端末１２の上り方向の送信が優先的に行われることになる。すなわち、規格上４段階の優先権しか持てない従来技術と比べて少なくとも５段階の優先制御が可能となる。このように、ＳＳＩＤに対応するＥＤＣＡパラメータに違いを設けて、優先度の違いに応じて端末１１と端末１２に使用するＳＳＩＤを変えるようにしている。
【００２５】
次に、上記構成のネットワークシステムの具体的な動作について説明する。
≪前提として、サービスイメージ≫
ホットスポットなどで有料のサービスを提供するキャリアやインターネットサービスプロバイダが高額のサ−ビス料金を支払う高優先タイプの端末と低額のサ−ビス料金を支払う低優先タイプの端末を扱うことを想定し、さらに設備を共用化するため、１つのアクセスポイントで利用して扱うことを考える。ただし、高優先の端末も低優先の端末もアプリケーション毎の優先制御を行うためにＩＥＥＥ８０２．１１ｅ ＥＤＣＡ方式を使って優先制御を行う。つまり、端末がインターネット電話やＩＰ電話を実現するリアルタイム性が要求されるＶｏＩＰ（Voice over Internet Protocol）パケットと、ＨＴＴＰ（HyperText Transfer Protocol）やＦＴＰ（File Transfer Protocol）などのリアルタイム性が要求されないパケットを同時に送信したい場合にＶｏＩＰパケットを優先的に送信させたい。但し、高優先の端末と低優先の端末がＶｏＩＰを同時に送信したい場合は高優先の端末のＶｏＩＰパケットを送信させたい。
【００２６】
≪事前の設定≫
アクセスポイント１０は、２つのＳＳＩＤ Ａ、ＳＳＩＤ Ｂと対応する２つのＢＳＳＩＤ(ＭＡＣアドレス)を持ち、従来文献で示したｖｉｒｔｕａｌ ＡＰ（仮想アクセスポイント）の機能を持つ。さらにそれぞれのＥＤＣＡパラメータ記憶部１０２及び１０３にＳＳＩＤのＥＤＣＡパラメータを設定する（図３参照）。端末１１と端末１２はともにＩＥＥＥ８０２．１１ｅ ＥＤＣＡ機能を持つ端末であり、これらには上述したように通信先のＳＳＩＤ Ａ、ＳＳＩＤ Ｂが使用される。
【００２７】
★（端末１１及び１２のアソシエーションとＥＤＣＡパラメータの取得までの動作（端末１１及び１２がパッシブ（受動）スキャンの場合））
(ア)  アクセスポイント１０の管理フレーム送受信部１０４は、定期的にＥＤＣＡパラメータ記憶部１０２が記憶しているＳＳＩＤ Ａ用のＥＤＣＡパラメータを含むビーコンフレームをブロードキャストで送信する（すなわち、送信先を指定しない送信を行う）。
【００２８】
(イ)  端末１１は、ＳＳＩＤ Ａ用のＥＤＣＡパラメータを含むビーコンフレームを受信すると、アクセスポイント１０がＩＥＥＥ８０２．１１ｅ ＥＤＣＡ対応であることと、ＥＤＣＡパラメータを知る。
(ウ)  端末１１は、ＩＥＥＥ８０２．１１ｅ ＥＤＣＡの要求を含むＳＳＩＤ Ａのアソシエーション要求を行う。
【００２９】
(エ)  アクセスポイント１０の管理フレーム送受信部１０４は、ＥＤＣＡパラメータ記憶部１０２が記憶しているＳＳＩＤ Ａ用のＥＤＣＡパラメータを含むアソシエーション応答を送信する。
(オ)  端末１１は、アソシエーション応答を受信すると、フレーム種別に応じたアクセスカテゴリに対応するキューにアクセスポイント１０からアソシエーション応答により取得したＥＤＣＡパラメータを設定する。
【００３０】
端末１２についてもＳＳＩＤ Ｂで(ア)から(オ)の動作を行い、アクセスポイント１０とアソシエーションする。
【００３１】
★（データ系フレームの送信動作）
(カ)  ビジー状態に続いて、端末１１及び１２がそれぞれ音声（ＶｏＩＰ）パケットの送信にＡＣ#ＶＯを使用するとする。
(キ)  端末１１は、ＡＩＦＳＮをもとにした時間だけキャリアセンスをした後、ＣＷ＝７であるので、０〜７の中から選択された乱数×スロットタイム分のバックオフ時間だけ待った後、フレームの送信を開始する。
【００３２】
端末１２は、ＡＩＦＳＮをもとにした時間だけキャリアセンスをした後、さらにＣＷ＝３であるので、０〜３の中から選択された乱数×スロットタイム分のバックオフ時間だけ待った後、フレームの送信を開始する。
【００３３】
(ク)  図４に示す通り、結果として端末１１は６／３２の確率で送信権を獲得し、端末１２は２２／３２の確率で送信権を獲得し、４／３２の確率で衝突が発生する。なお、この場合、“１１”と書かれた箇所は端末１１の送信獲得であり、“１２”と書かれた箇所は端末１２の送信獲得である。端末１１の獲得数は「６」であり、端末１２の獲得数は「２２」である。全体の個数は「３２（＝８×４）」であるので、確率は前記の通り端末１１で６／３２、端末１２で２２／３２である。また、衝突する箇所の数は「４」であり、衝突する確率は４／３２である。衝突した場合、端末１１と端末１２はＣＷをＩＥＥＥ８０２．１１で規定するルールに従ってＣＷを増加させた上で新たなバックオフ時間を選択して再送を試みる。
【００３４】
(ク)で述べたように、ＣＷｍｉｎが小さく設定されているＳＳＩＤ Ｂの端末１２は、ＳＳＩＤ Ａが使用された端末１１と比較するとバックオフ時間が短くなる確率が高くなるので、結果としてＳＳＩＤ Ｂが使用された端末１２の上り方向の送信が優先的に行われることになる。つまり、ＳＳＩＤ毎にＥＤＣＡパラメータを異なるように設定して端末によって使用するＳＳＩＤを異なるように設定することによって、１つのＳＳＩＤに設定できる４段階の優先度より細かな単位での優先制御が可能になる。
【００３５】
このように本実施の形態のネットワークシステムによれば、ＳＳＩＤ毎にＥＤＣＡパラメータのトラヒック優先順位であるアクセスカテゴリ毎に指定されるＣＷmin値あるいはＣＷmax値を異なるように設定して、端末１１及び１２によって使用するＳＳＩＤを異なるように設定するので、１つのＳＳＩＤに設定できる４段階の優先度より細かな単位での優先制御が可能となり、ＱｏＳの向上が図れる。
【００３６】
なお、端末１１及び１２がパッシブスキャンの場合の動作であったが、端末１１及び１２がアクティブスキャンの場合は、上記(ア)、(イ)は以下に置き換わる。この場合、効果は同様である。
【００３７】
(ア)’  端末１１はＳＳＩＤ Ａでプローブ要求を送信する。
(ア)’  プローブ要求を受信したアクセスポイント１０の管理フレーム送受信部１０４は、ＥＤＣＡパラメータ記憶手部１０２が記憶するＳＳＩＤ Ａ用のＥＤＣＡパラメータを含むプローブ応答を送信する。
【００３８】
(イ)’  端末１１は、ＳＳＩＤ Ａ用のＥＤＣＡパラメータを含むプローブ応答を受信して、アクセスポイント１０がＩＥＥＥ８０２．１１ｅ ＥＤＣＡ対応であることと、ＥＤＣＡパラメータを知る。
【００３９】
また、従来技術の図５に示したように、ＳＳＩＤ毎に通信ネットワークを論理的に分離するような構成を採る場合、通信ネットワークＡ、通信ネットワークＢそれぞれに異なるＥＤＣＡパラメータを設定しておくと、通信ネットワーク単位での優先制御が可能になる。
【００４０】
なお、上記実施の形態では、優先制御方式としてＩＥＥＥ８０２．１１ｅ ＥＤＣＡで説明したが、ＩＥＥＥ８０２．１１ｅ ＥＤＣＡのサブセットであるＷｉ−Ｆｉ ａｌｌｉａｎｃｅが策定したＷｉｒｅｌｅｓｓ Ｍｕｌｔｉｍｅｄｉａ Ｅｎｈａｎｃｅｍｅｎｔ（ＷＭＥ）を用いても同様の効果が得られる。
【産業上の利用可能性】
【００４１】
本発明は、１つのＳＳＩＤに設定できる４段階の優先度より細かな単位での優先制御ができるといった効果を有し、ＩＥＥＥ８０２．１１ｅ ＥＤＣＡや、そのサブセットであるＷｉ−Ｆｉ ａｌｌｉａｎｃｅが策定したＷＭＥなどへの適用が可能である。
【図面の簡単な説明】
【００４２】
【図１】本発明の一実施の形態に係るネットワークシステムの概略構成を示すブロック図
【図２】図１のネットワークシステムを構成するアクセスポイントの概略構成を示すブロック図
【図３】図２のアクセスポイントを構成するＥＤＣＡパラメータ記憶部に記憶されるＥＤＣＡパラメータの一例を示す図
【図４】図１のネットワークシステムを構成する各端末における送信権獲得を説明するための図
【図５】従来のネットワークシステムの概略構成を示すブロック図
【図６】ネットワークシステムにおけるアクセスポイントと端末との間のデータ送信前の通信を示す図
【図７】ネットワークシステムにおける従来のアクセスポイントの送信処理を示す模式図
【符号の説明】
【００４３】
１０  アクセスポイント
１１、１２  端末
１０１  データ送受信制御部
１０２、１０３  ＥＤＣＡパラメータ記憶部
１０４  管理フレーム送受信部
５００  通信ネットワーク
【図１】
2006211362.tif 000003
【図２】
2006211362.tif 000004
【図３】
2006211362.tif 000005
【図４】
2006211362.tif 000006
【図５】
2006211362.tif 000007
【図６】
2006211362.tif 000008
【図７】
2006211362.tif 000009